(57)【特許請求の範囲】
【請求項１】
筐体の窓開口内に窓プレートが設けられ、該窓プレートの背後側に複数個の光学式の人体検知用のセンサが設けられているセンサ装置において、
前記窓プレートは、上部と下部とが斜交するように前方から見て凹に屈曲した形状となっており、
該窓プレートの上部は斜め下向きであり、該窓プレートの下部は斜め上向きであり、
該窓プレートの上部の背後と下部の背後とにそれぞれ前記センサが設けられており、
前記窓プレートの上部の背後のセンサの投光の光軸が該窓プレートの上部と垂直であり、
前記窓プレートの下部の背後センサの投光の光軸が該窓プレートの下部と垂直であることを特徴とするセンサ装置。
【請求項２】
請求項１において、前記窓プレートは、左右の一半側と他半側とがそれぞれ透光板部となっており、透光板部同士の間が遮光部となっていることを特徴とするセンサ装置。
【請求項３】
請求項１又は２のセンサ装置が便座ボックスに設けられている便座装置。
【請求項４】
請求項３において、前記センサ装置は、着座センサと人体検知センサとを有し、該着座センサの下方に該人体検知センサを配置したものであり、
該センサ装置が前記便座ボックスの左右方向の中央部に設置されていることを特徴とする便座装置。
【発明の詳細な説明】
【技術分野】
【０００１】
本発明は、窓プレートの背後側に光学式の人体検知センサを配置したセンサ装置に係り、特に複数のセンサを備えたセンサ装置に関する。また、本発明はこのセンサ装置を備えた便座装置に関する。
【背景技術】
【０００２】
洋風便器に設置される便座装置に、トイレルーム内の人体を赤外線によって検知するための人体検知センサと、便座への着座をセンサによって検知するための着座センサとを設置することがある（例えば特許文献１）。
【０００３】
特許文献１の図４〜６には、赤外線透過プレート（特許文献１では表面パネルと称している。）の背後側に人体検知センサと着座センサを配置した構造が示されている。特許文献１の図４では、各センサの光軸は赤外線透過プレートに対し斜交している。図５，６では、各センサの光軸は平面状の赤外線透過プレートに対し略垂直に図示されているが、特許文献１の００２５段落には、人体検知センサの信号発信方向は、平面的に見れば左右いずれか一方へ所定角度ずらしてあると記載されており、人体検知センサの光軸は赤外線透過プレートに対し斜交している。
【先行技術文献】
【特許文献】
【０００４】
【特許文献１】特開２００４−２７５２６８
【発明の概要】
【発明が解決しようとする課題】
【０００５】
上記特許文献１のように、光学式の人体検知センサの光軸を赤外線透過プレートに対し斜交させた場合、センサからの投光の一部が赤外線透過プレート表面で反射し、人体検知距離が短くなる。また、この反射や、プレート内を伝播する迷光によって人体検知精度が低下するおそれもある。
【０００６】
本発明は、光学式のセンサの検知距離低下を防止することができると共に、検知精度も高くすることができるセンサ装置と、このセンサ装置を備えた便座装置を提供することを目的とする。
【課題を解決するための手段】
【０００７】
本発明のセンサ装置は、筐体の窓開口内に窓プレートが設けられ、該窓プレートの背後側に複数個の光学式の人体検知用のセンサが設けられているセンサ装置において、各センサの投光の光軸を該窓プレートと垂直としたことを特徴とするものである。
【０００８】
本発明では、前記窓プレートは、上部と下部とが斜交するように前方から見て凹に屈曲した形状となっており、該窓プレートの上部の背後と下部の背後とにそれぞれ前記センサが設けられている。
【０００９】
この場合、前記窓プレートは、左右の一半側と他半側とがそれぞれ透光板部となっており、透光板部同士の間が遮光部となっていることが好ましい。
【００１０】
本発明の便座装置は、かかる本発明のセンサ装置が便座ボックスに設けられたものである。
【００１１】
この便座装置にあっては、センサ装置は、着座センサと人体検知センサとを有し、該着座センサの下方に該人体検知センサを配置したものであり、該センサ装置が前記便座ボックスの左右方向の中央部に設置されていてもよい。
【発明の効果】
【００１２】
本発明のセンサ装置においては、各センサの光軸が窓プレートに対し垂直であるため、各センサの投光及び受光の反射光量が少なく、検知距離低下が抑制されると共に、反射や迷光によるノイズ成分が減少し、検知精度が向上する。
【００１３】
本発明では、左右の透光板部間に遮光部を設けることにより、投光側の透光板部から受光部側の透光板部への迷光の伝播がなく、迷光による誤検知が防止される。
【００１４】
本発明では、窓プレートを前方から見て凹に屈曲した形状とした場合、前面から窓プレートの最深部までの深さが比較的小さいものとなる。
【００１５】
このセンサ装置が、着座センサを上側に配置し、その下側に人体検知センサを設けたものである場合、センサ装置を便座ボックスの左右方向中央に配置し、便座への着座者及び便器前方に立つ人体の身体左右方向中央に向って赤外線を投光して着座や人体の検知精度を向上させることができる。
【図面の簡単な説明】
【００１６】
【図１】実施の形態に係るセンサ装置の斜視図である。
【図２】図１のセンサ装置の縦断面図である。
【図３】図２のIII−III線断面図である。
【図４】実施の形態に係る便座装置の斜視図である。
【発明を実施するための形態】
【００１７】
以下、図面を参照して実施の形態について説明する。図４の通り、便座装置１は、洋風便器の後部上面に設置される便座ボックス２と、該便座ボックス２と起倒回動可能に取り付けられた便蓋３及び便座４と、便座ボックス２の前部上縁に設けられたセンサ装置５とを有する。
【００１８】
センサ装置５は、図１〜３の通り、筐体６と、窓プレート９と、着座センサ７及び人体検知センサ８とを有する。筐体６は、便座ボックス２の外面と面一状に配置される前面プレート部１０と、該前面プレート部１０に設けられた窓開口１１と、前面プレート部１０の背後側に一体的に設けられたセンサ保持部１２とを有している。
【００１９】
窓開口１１の奥底面に窓プレート９が設けられている。この窓プレート９は、赤外線透過材料よりなる透光板部１３，１４と、該透光板部１３，１４同士の間に設けられた遮光部１５とを有する。この実施の形態では、透光板部１３，１４はＰＭＭＡ（ポリメチルメタクリレート）等の赤外線透過合成樹脂材料よりなり、遮光部１５はＡＢＳ樹脂にて構成されている。窓プレート９には、内部を見えにくくするためにスモーク加工が施されている。透光板部１３，１４と遮光部１５とはインサート成形により一体に成形されている。なお、各樹脂材料は一例であり、上記のものに限定されない。
【００２０】
窓プレート９は、前方から見て凹に屈曲しており、上面側Ｓ１と下面側Ｓ２とが角度θで交わる一体の屈曲板状となっている。角度θは１２８．５〜１３４．５°特に１３１．５°程度が好ましい。窓プレート９は、上面側Ｓ１が斜め下向きとなり、下面側Ｓ２が斜め上向きとなるように設けられている。
【００２１】
着座センサ７は、上面側Ｓ１の背後に配置され、人体検知センサ８は下面側Ｓ２の背後に配置されており、センサ８がセンサ７の下側に配置されている。各センサ７，８は、赤外線の投光部Ａと、人体からの反射赤外線の受光部Ｂとを有している。着座センサ７の投光部Ａからの投光の光軸Ｌ１は透光板部１３の上面側Ｓ１に対し垂直であり、人体検知センサ８の投光部Ａからの投光の光軸Ｌ２は透光板部１３の下面側Ｓ２に対し垂直である。なお、この実施の形態において、垂直とは９０°±３°の範囲である。センサ７，８の受光部Ｂの光軸も、それぞれ透光板部１４の上面側Ｓ１，下面側Ｓ２に対し垂直となっている。
【００２２】
このように構成されたセンサ装置５においては、センサ７の光軸が窓プレート９の上面側Ｓ１に対し垂直であり、センサ８の光軸が下面側Ｓ２に対し垂直であるため、各センサ７，８の投光及び受光の反射光量が少なく、検知距離低下が抑制されると共に、反射によるノイズ成分が減少し、検知精度が向上する。
【００２３】
この実施の形態では、２個のセンサ７，８を上下に配置しているので、各センサ７，８を便座ボックス２の左右方向（便器の幅方向）の中央部に配置することができる。このため、便座への着座者及び便器前方に立つ人体（例えば男子小便使用者）の身体左右方向中央に向って赤外線を投光することになり、着座や人体の検知精度が向上する。
【００２４】
この実施の形態では、透光板部１３，１４間に遮光部１５を設けているので、投光側の透光板部１３から受光部側の透光板部１４への迷光の伝播がなく、誤検知が防止される。
【００２５】
この実施の形態では遮光部１５を金型内にインサートしておき、透光板部１３，１４を射出成形するインサート成形により窓プレート９を全体として一体に成形しており、遮光部１５は上面側Ｓ１の上端から下面側Ｓ２の下端まで連続して延在している。このため、遮光部１５付き透光板部１３，１４よりなる窓プレート９を安価に製造できると共に、ヒケやウェルドを抑制することもできる。
【００２６】
この実施の形態では、図２の通り、窓プレート９を前方から見て凹に屈曲した逆「く」字形縦断面形状としているので、前面プレート部１０から窓プレート９の最深部までの深さが比較的小さい。
【００２７】
上記実施の形態は本発明の一例であり、本発明は図示以外の形態とされてもよい。本発明のセンサ装置では３個以上のセンサを設置してもよい。
【符号の説明】
【００２８】
１  便座装置
２  便座ボックス
４  便座
５  センサ装置
６  筐体
７  着座センサ
８  人体検知センサ
９  窓プレート
１０  前面プレート
１１  窓開口
１２  センサ保持部
１３，１４  透光板部
１５  遮光部
【図１】
0005989359.tif 000002
【図２】
0005989359.tif 000003
【図３】
0005989359.tif 000004
【図４】
0005989359.tif 000005